(57)【要約】      （修正有）【課題】個人情報の漏洩を防止することができる通信システムを提供する。【解決手段】通信端末が、利用者が通信相手を識別可能な第１の識別情報及び通信相手の個人情報を含まない第２の識別情報を対応付けて格納する第１の電話帳情報部１と、第２の識別情報及び自端末の電話情報を電子メールに付加してデータ転送サーバ２０に送信する第１の発信処理部５とを備え、データ転送サーバ２０が、他端末の電話番号情報及び第２の識別情報を対応付けて格納する第２の電話帳情報部２１と、通信端末１０から送信される第２の識別情報に基づき第２の電話帳情報部２１から当該第２の識別情報に対応する他端末の電話番号情報を抽出する電話帳リスト抽出部２５と、電話帳リスト抽出部２５により抽出される他端末の電話番号情報に基づき通信端末１０からの音声発信を他端末に送信する第２の発信処理部２２と、を備えている。【選択図】図２
2010246054.tif 000002
【特許請求の範囲】
【請求項１】
電話番号又はメールアドレスが割り当てられている複数の通信端末と、当該複数の通信端末間の電話又は電子メールの通信データを転送するデータ転送サーバとが、ネットワークを介して通信可能な通信システムであって、
前記複数の通信端末は、
利用者が通信相手を識別可能な第１の識別情報及び通信相手の個人情報を含まない第２の識別情報を対応付けて格納する第１の電話帳情報部と、
前記第１の電話帳情報部から前記第１の識別情報を抽出して表示する表示部と、
前記表示部により表示される第１の識別情報を選択する選択部と、
前記選択部により選択される第１の識別情報に対応する前記第２の識別情報、及び自分の通信端末の電話番号又はメールアドレスを示す情報を組み込み、宛先を前記データ転送サーバとして、電子メールを前記データ転送サーバに送信すると共に、前記データ転送サーバから電子メールを受信するとデータ転送サーバに音声発信又はパケット発信を行う第１の発信処理部と、
をそれぞれ備え、
前記データ転送サーバは、
前記通信端末毎に、当該通信端末の電話番号又はメールアドレスと、前記通信端末に登録されている第２の識別情報及び通信先の通信端末に割り当てられている電話番号又はメールアドレスを示す情報を対応付けて格納する第２の電話帳情報部と、
前記複数の通信端末の一の通信端末から他の通信端末に電話をかける又は電子メールを送信する場合に、前記一の通信端末から送信される第２の識別情報に基づき、前記第２の電話帳情報部から前記第２の識別情報に対応する前記他の通信端末の電話番号又はメールアドレスを示す情報を抽出する電話帳リスト抽出部と、
前記通信端末から送信される電子メールに対して、当該電子メールを受信した旨の電子メールを、当該電子メールを送信した通信端末に返信すると共に、前記電話帳リスト抽出部により抽出される前記他の通信端末の電話番号又はメールアドレスを示す情報に基づき、前記一の通信端末からの音声発信又は電子メールを前記他の通信端末に送信する第２の発信処理部と、
を備えていることを特徴とする通信システム。
【請求項２】
電話番号又はメールアドレスが割り当てられている複数の通信端末と、前記通信端末毎に、当該通信端末の電話番号又はメールアドレスと、前記通信端末に登録されている第２の識別情報及び通信先の通信端末に割り当てられている電話番号又はメールアドレスを示す情報を対応付けて格納している第２の電話帳情報部と、前記複数の通信端末の一の通信端末から他の通信端末に電話をかける又は電子メールを送信する場合に、前記一の通信端末から送信される第２の識別情報に基づき、前記第２の電話帳情報部から前記第２の識別情報に対応する前記他の通信端末の電話番号又はメールアドレスを示す情報を抽出する電話帳リスト抽出部と、前記通信端末から送信される電子メールに対して、当該電子メールを受信した旨の電子メールを、当該電子メールを送信した通信端末に返信すると共に、前記電話帳リスト抽出部により抽出される前記他の通信端末の電話番号又はメールアドレスを示す情報に基づき、前記一の通信端末からの音声発信又は電子メールを前記他の通信端末に送信する第２の発信処理部とを備えるデータ転送サーバとが、ネットワークを介して通信可能な通信システムで用いられる通信端末であって、
利用者が通信相手を識別可能な第１の識別情報及び通信相手の個人情報を含まない第２の識別情報を対応付けて格納する第１の電話帳情報部と、
前記第１の電話帳情報部から前記第１の識別情報を抽出して表示する表示部と、
前記表示部により表示される第１の識別情報を選択する選択部と、
前記選択部により選択される第１の識別情報に対応する前記第２の識別情報、及び自分の通信端末の電話番号又はメールアドレスを示す情報を電子メール内に組み込み、宛先を前記データ転送サーバとして、電子メールを前記データ転送サーバに送信すると共に、前記データ転送サーバから電子メールを受信するとデータ転送サーバに音声発信又はパケット発信を行う第１の発信処理部と、
電話又は電子メールを着信した場合に、前記通信端末毎に、前記電話又は電子メールの発信者の通信端末である他の通信端末に割り当てられている電話番号又はメールアドレスを示す情報を、着信した電話又は電子メールから抽出し、当該他の通信端末の電話番号又はメールアドレスを示す情報、及び自分の通信端末の電話番号又はメールアドレスを示す情報を電子メール内に組み込み、宛先を前記データ転送サーバとして、当該電子メールを前記データ転送サーバに送信する着信処理部と、
前記データ転送サーバから送信される第２の識別情報に基づき、前記第１の電話帳情報部から第１の識別情報を抽出し、当該第１の識別情報を前記表示部に出力する第１の発信者問合せ処理部と、
を備えていることを特徴とする通信端末。
【請求項３】
前記請求項２に記載の通信端末において、
前記データ転送サーバの第２の電話帳情報部に暗号化されて格納される前記他の通信端末の電話番号又はメールアドレスを示す情報及び第２の識別情報を復号化するための暗号鍵を格納する暗号鍵保管部を備え、
前記第１の発信者問合せ処理部が、前記暗号鍵保管部から暗号鍵を抽出して、前記第１の発信処理部に出力し、
前記第１の発信処理部が、前記選択部により選択される第１の識別情報に対応する前記第２の識別情報、自分の通信端末の電話番号又はメールアドレスを示す情報、及び暗号鍵を電子メールに付加し、当該電子メールを前記データ転送サーバに送信することを特徴とするデータ転送サーバ。
ていることを特徴とする通信端末。
【請求項４】
電話番号又はメールアドレスが割り当てられている通信端末からの電話又は電子メールを通信相手の通信端末である他の通信端末に転送するデータ転送サーバと、利用者が通信相手を識別可能な第１の識別情報及び通信相手の個人情報を含まない第２の識別情報を対応付けて格納する第１の電話帳情報部と、前記第１の電話帳情報部から前記第１の識別情報を抽出して表示する表示部と、前記表示部により表示される第１の識別情報を選択する選択部と、前記選択部により選択される第１の識別情報に対応する前記第２の識別情報、及び自分の通信端末の電話番号又はメールアドレスを示す情報を電子メール内に組み込み、宛先を前記データ転送サーバとして、電子メールを前記データ転送サーバに送信すると共に、前記データ転送サーバから電子メールを受信するとデータ転送サーバに音声発信又はパケット発信を行う第１の発信処理部と、電話又は電子メールを着信した場合に、前記通信端末毎に、前記電話又は電子メールの発信者の通信端末である他の通信端末に割り当てられている電話番号又はメールアドレスを示す情報を、着信した電話又は電子メールから抽出し、当該他の通信端末の電話番号又はメールアドレスを示す情報、及び自分の通信端末の電話番号又はメールアドレスを示す情報を電子メール内に組み込み、宛先を前記データ転送サーバとして、当該電子メールを前記データ転送サーバに送信する着信処理部と、前記データ転送サーバから送信される第２の識別情報に基づき、前記第１の電話帳情報部から第１の識別情報を抽出し、当該第１の識別情報を前記表示部に出力する第１の発信者問合せ処理部と、を備える通信端末とが、ネットワークを介して通信可能な通信システムで用いられるデータ転送サーバであって、
前記通信端末毎に、当該通信端末の電話番号又はメールアドレスと、前記通信端末に登録されている第２の識別情報と通信先の通信端末に割り当てられている電話番号又はメールアドレスを示す情報を対応付けて格納する第２の電話帳情報部と、
前記複数の通信端末の一の通信端末から他の通信端末に電話をかける又は電子メールを送信する場合に、前記通信端末から送信される第２の識別情報に基づき、前記第２の電話帳情報部から前記第２の識別情報に対応する前記他の通信端末の電話番号又はメールアドレスを示す情報を抽出する電話帳リスト抽出部と、
前記通信端末から送信される電子メールに対して、当該電子メールを受信した旨の電子メールを、当該電子メールを送信した通信端末に返信すると共に、前記電話帳リスト抽出部により抽出される前記他の通信端末の電話番号又はメールアドレスを示す情報に基づき、前記通一の信端末からの音声発信又は電子メールを前記他の通信端末に送信する第２の発信処理部と、
前記通信端末から送信される、前記他の通信端末の電話番号又はメールアドレスを示す情報及び前記自分の通信端末の電話番号又はメールアドレスを示す情報に基づき、前記第２の電話帳情報部から当該他の通信端末の電話番号又はメールアドレスを示す情報に対応する第２の識別情報を抽出し、当該第２の識別情報を付加した電子メールを前記通信端末に送信する第２の発信者問合せ部と、
を備えていることを特徴とするデータ転送サーバ。
【請求項５】
前記請求項４に記載のデータ転送サーバにおいて、
前記通信端末から送信される暗号鍵に基づき、前記第２の電話帳情報部に暗号化されて格納される前記他の通信端末の電話番号又はメールアドレスを示す情報及び第２の識別情報を復号化する暗号復号部を備えていることを特徴とするデータ転送サーバ。
【請求項６】
通信端末毎に、当該通信端末の電話番号又はメールアドレスと、前記通信端末に登録されている第２の識別情報及び通信先の通信端末に割り当てられている電話番号又はメールアドレスを示す情報を対応付けて格納するデータ転送サーバと通信可能な通信端末のコンピュータを機能させる制御プログラムであって、
コンピュータを、利用者が通信相手を識別可能な第１の識別情報及び通信相手の個人情報を含まない第２の識別情報を対応付けて格納する第１の電話帳情報手段と、
前記第１の電話帳情報手段から前記第１の識別情報を抽出して表示する表示手段と、
前記表示手段により表示される第１の識別情報を選択する選択手段と、
前記選択手段により選択される第１の識別情報に対応する前記第２の識別情報、及び自分の通信端末の電話番号又はメールアドレスを示す情報を電子メール内に組み込み、宛先を前記データ転送サーバとして、電子メールを前記データ転送サーバに送信すると共に、前記データ転送サーバから電子メールを受信するとデータ転送サーバに音声発信又はパケット発信を行う第１の発信処理手段と、電話又は電子メールを着信した場合に、前記通信端末毎に、前記電話又は電子メールの発信者の通信端末である他の通信端末に割り当てられている電話番号又はメールアドレスを示す情報を、着信した電話又は電子メールから抽出し、当該他の通信端末の電話番号又はメールアドレスを示す情報、及び自分の通信端末の電話番号又はメールアドレスを示す情報を電子メール内に組み込み、宛先を前記データ転送サーバとして、当該電子メールを前記データ転送サーバに送信する着信処理手段と、
前記データ転送サーバから送信される第２の識別情報に基づき、前記第１の電話帳情報手段から第１の識別情報を抽出し、当該第１の識別情報を前記表示手段に出力する第１の発信者問合せ処理手段として機能させる制御プログラム。
【発明の詳細な説明】
【技術分野】
【０００１】
本発明は、電話番号又はメールアドレスが付与される通信端末と、当該通信端末からの電話又は電子メールを通信相手の通信端末である他端末に転送するデータ転送サーバとを備える通信システムに関する。
【背景技術】
【０００２】
携帯電話は、内蔵する電話帳に複数の氏名及び電話番号等を記憶し、個人情報を有する機器であることが認識されている。このため、現在の携帯電話には、情報セキュリティ等の観点から、プライベート目的で氏名を表示させない機能や、暗証番号や指紋認証により電子ロックを解除しないと、使用できない機能が提供されている。
【０００３】
しかしながら、これらの情報セキュリティ機能は、携帯電話による操作を増加させ、携帯電話のユーザにとって煩雑なものであり、日常生活における携帯電話の使用では、常時、情報セキュリティ機能を機能させておくものではない。このため、携帯電話の置き忘れ等による紛失により、個人情報（特に、一対の氏名及び電話番号）を漏洩させる恐れがある。
【０００４】
なお、携帯電話の電話帳に記憶される氏名は、電話を掛ける時の発信相手の選択や電話を着信した時の着信相手を表示するために、あれば便利であるが、電話帳に記憶される電話番号は、発信相手や着信相手の氏名が表示されれば、必ずしも表示する必要がない。特に、携帯電話の電話帳に、一度、登録した電話番号の表示を必要とする場合は少ないものと考えられる。なお、携帯電話の電話帳に登録した電話番号を、第三者（友人や同僚等）に教える場合も考えられるが、個人情報保護の観点から、本人の同意がなければ、問題になる可能性もある。
【０００５】
これに対し、従来の通信システムは、アドレス帳関連処理サーバに、加入者端末装置の各通信相手の識別情報、名称、および電話番号を記憶するアドレス帳関連データベースを設けておく。アドレス帳関連処理サーバは、加入者端末装置からの要求に従ってアドレス帳関連データベースからメンバの識別番号および名称を抽出し、その識別番号および名称を示すメンバリストを生成し、加入者端末装置に送信する。加入者端末装置は、メンバリストを表示し、ユーザがいずれかの識別番号を選択すると、その識別番号に対応する電話番号をアドレス帳関連処理サーバに対して問い合わせる。そして、アドレス帳関連処理サーバから回答された電話番号に基づいて相手方の装置と接続し、通信を開始する（例えば、特許文献１参照）。
【先行技術文献】
【特許文献】
【０００６】
【特許文献１】特開２００７−２８２１７号公報
【発明の概要】
【発明が解決しようとする課題】
【０００７】
従来の通信システムは、アドレス帳関連処理サーバにおいて、メンバ名、電話番号及び電子メールアドレスの全てを管理している。そして、加入者端末装置は、電話をかけたり電子メールを送信する度に、電話番号又は電子メールアドレスを示す情報を、アドレス帳関連処理サーバから受信し、それが使用されるまで又は所定の時間が経過するまで一時的に記憶する。このように、従来の通信システムは、アドレス帳関連処理サーバにおいて、アドレス帳を一括して管理するため、サーバ側に個人情報が存在し、サーバへのハッキングにより、個人情報が盗まれ、情報セキュリティの観点から不十分であるという課題がある。
【０００８】
また、従来の通信システムは、加入者端末装置の液晶ディスプレイに発信者の電話番号を表示するが、メンバ名を表示しないため、電話番号を記憶していない限り、電話に出るまで発信者を確認することができない。このため、加入者端末装置のユーザが、電話に応答することで、知人を装った詐欺に遭うような被害に対応できないという課題がある。
【課題を解決するための手段】
【０００９】
通信システムは、電話番号又はメールアドレスが割り当てられている複数の通信端末と、当該複数の通信端末間の電話又は電子メールの通信データを転送するデータ転送サーバとが、ネットワークを介して通信可能な通信システムである。通信端末は、利用者が通信相手を識別可能な第１の識別情報及び通信相手の個人情報を含まない第２の識別情報を対応付けて格納する第１の電話帳情報部と、第１の電話帳情報部から第１の識別情報を抽出して表示する表示部と、表示部により表示される第１の識別情報を選択する選択部とを備えている。また、通信端末は、選択部により選択される第１の識別情報に対応する第２の識別情報、及び自分の通信端末の電話番号又はメールアドレスを示す情報を組み込み、宛先をデータ転送サーバとして、電子メールをデータ転送サーバに送信すると共に、データ転送サーバから電子メールを受信するとデータ転送サーバに音声発信又はパケット発信を行う第１の発信処理部とを備えている。また、データ転送サーバは、通信端末毎に、当該通信端末の電話番号又はメールアドレスと、通信端末に登録されている第２の識別情報及び通信先の通信端末に割り当てられている電話番号又はメールアドレスを示す情報を対応付けて格納する第２の電話帳情報部を備えている。また、データ転送サーバは、複数の通信端末の一の通信端末から他の通信端末に電話をかける又は電子メールを送信する場合に、一の通信端末から送信される第２の識別情報に基づき、第２の電話帳情報部から第２の識別情報に対応する他の通信端末の電話番号又はメールアドレスを示す情報を抽出する電話帳リスト抽出部を備えている。データ転送サーバは、通信端末から送信される電子メールに対して、当該電子メールを受信した旨の電子メールを、当該電子メールを送信した通信端末に返信すると共に、電話帳リスト抽出部により抽出される他の通信端末の電話番号又はメールアドレスを示す情報に基づき、一の通信端末からの音声発信又は電子メールを他の通信端末に送信する第２の発信処理部を備えている。
【発明の効果】
【００１０】
開示の通信システムは、氏名と電話番号又はメールアドレスとを対にした個人情報を、通信端末及びデータ転送サーバに単独で有さない、通信サービスが実現でき、個人情報の漏洩を防止する効果を奏する。
【図面の簡単な説明】
【００１１】
【図１】第１の実施形態に係る通信システムの概要を示す概念図である。
【図２】（ａ）は図１に示す通信端末の概略構成を示す機能ブロック図、（ｂ）は図１に示すデータ転送サーバの概略構成を示す機能ブロック図である。
【図３】（ａ）は図２（ａ）に示す第１の電話帳情報格納部に格納される電話帳データの一例を示す説明図、（ｂ）は図２（ａ）に示す表示部に表示される表示画面の一例を示す説明図、（ｃ）は図２（ｂ）に示す第２の電話帳情報部に格納される電話帳リストの一例を示す説明図である。
【図４】図１に示す通信システムにおける処理手順を示すフローチャートである。
【図５】第２の実施形態に係る通信システムの概要を示す概念図である。
【図６】図５に示す交換機の概略構成を示す機能ブロック図である。
【図７】図５に示す通信システムにおける処理手順を示すフローチャートである。
【発明を実施するための形態】
【００１２】
ここで、本発明は多くの異なる形態で実施可能である。したがって、下記の実施形態の記載内容のみで解釈すべきではない。また、実施形態の全体を通して同じ要素には同じ符号を付けている。
【００１３】
実施形態では、主にシステムについて説明するが、いわゆる当業者であれば明らかな通り、本発明はコンピュータで使用可能なプログラム、方法としても実施できる。また、本発明は、ハードウェア、ソフトウェア、又は、ソフトウェア及びハードウェアの実施形態で実施可能である。プログラムは、ハードディスク、CD-ROM、DVD-ROM、光記憶装置又は磁気記憶装置等の任意のコンピュータ可読媒体に記録できる。さらに、プログラムはネットワークを介した他のコンピュータに記録することができる。
【００１４】
（本発明の第１の実施形態）
図１は第１の実施形態に係る通信システムの概要を示す概念図である。また、図２（ａ）は図１に示す通信端末の概略構成を示す機能ブロック図、図２（ｂ）は図１に示すデータ転送サーバの概略構成を示す機能ブロック図である。また、図３（ａ）は図２（ａ）に示す第１の電話帳情報格納部に格納される電話帳データの一例を示す説明図、図３（ｂ）は図２（ａ）に示す表示部に表示される表示画面の一例を示す説明図、図３（ｃ）は図２（ｂ）に示す第２の電話帳情報部に格納される電話帳リストの一例を示す説明図である。また、図４は図１に示す通信システムにおける処理手順を示すフローチャートである。
【００１５】
図１において、通信システム１００は、電話番号又はメールアドレスが付与される後述の通信端末１０と、当該通信端末１０からの電話又は電子メールを通信相手の通信端末１０である他端末に転送する後述のデータ転送サーバ２０とを備える。また、通信端末１０とデータ転送サーバ２０との間には、既存の無線ネットワーク３０及び当該通信端末１０側の通信回線を通信相手の通信端末１０である他端末側の通信回線に切り替えて接続する交換機４０が介在する。
【００１６】
なお、以下の説明においては、通信端末１０として、携帯電話を例に挙げて説明するが、無線ネットワーク３０を介しての無線通信が可能であれば、携帯電話に限られるものではない。また、場合によっては、自分の通信端末１０に対して自端末１０ａと称し、自端末１０ａ以外である通信相手の通信端末１０に対して他端末１０ｂと称して説明する。
【００１７】
図２（ａ）において、通信端末１０は、後述する第１の電話帳情報部１、暗号鍵保管部２、表示部３、選択部４、第１の発信処理部５、着信処理部６、第１の発信者問合せ処理部７及び無線制御部８を備えている。
【００１８】
第１の電話帳情報部１は、例えば、図３（ａ）に示すように、通信端末１０のユーザが登録した通信相手となる氏名、名称、略称又は愛称等の通信相手を識別する、通信相手の氏名に関する第１の識別情報、及び第１の識別情報を他の第１の識別情報と識別するための数字等のリスト番号による第２の識別情報を対応付けて格納する手段である。
【００１９】
暗号鍵保管部２は、後述するデータ転送サーバ２０の第２の電話帳情報部２１に暗号化されて格納される他端末１０ｂの電話番号又はメールアドレスを示す情報（以下、電話番号情報又はアドレス情報と称す）及び第２の識別情報に対して、復号化するための暗号鍵を格納する手段である。
【００２０】
表示部３は、液晶ディスプレイ等であり、例えば、図３（ｂ）に示すように、電話又は電子メールの発信時又は着信時に第１の識別情報を表示するための手段である。
【００２１】
選択部４は、ユーザインターフェースに相当し、テンキーやタッチパネル等であり、通信端末１０のユーザが、表示部３により表示される第１の識別情報を選択するための手段である。
【００２２】
第１の発信処理部５は、選択部４により選択される第１の識別情報に対応する第２の識別情報を第１の電話帳情報部１から抽出し、暗号鍵保管部２から暗号鍵を抽出する。また、第１の発信処理部５は、抽出した第２の識別情報及び暗号鍵と、自端末１０ａの電話番号情報又はアドレス情報とを電子メールに付加し、当該電子メールをデータ転送サーバ２０に送信する手段である。なお、この電子メール（以下、発信要求メールと称す）は、ショートメッセージサービス（short message service：以下、ＳＭＳと称す）等を利用し、宛先を「データ転送サーバ２０」とし、第２の識別情報、暗号鍵及び自端末１０ａの電話番号情報又はアドレス情報を付加したものである。
【００２３】
また、第１の発信処理部５は、後述するデータ転送サーバ２０から受付完了メールを受信すると、データ転送サーバ２０に音声発信又はパケット発信を行う。なお、この音声発信又はパケット発信は、宛先を「データ転送サーバ２０」としており、データ転送サーバ２０の電話番号又はメールアドレスに対して発信することになる。
【００２４】
第１の発信者問合せ処理部７は、着信処理部６からの電話又は電子メールを着信した旨の通知があると、暗号鍵保管部２から暗号鍵を抽出して、着信処理部６に出力する。また、第１の発信者問合せ処理部７は、データ転送サーバ２０から送信される第２の識別情報に基づき、第１の電話帳情報部１から当該第２の識別情報に対応する第１の識別情報を抽出し、当該第１の識別情報を表示部３に出力する。
【００２５】
無線制御部８は、通信機器から送信される電波を受信し、通信機器に対して電波を送信して、無線ネットワーク３０との無線通信を制御するための手段である。
【００２６】
図２（ｂ）において、データ転送サーバ２０は、後述する第２の電話帳情報部２１、第２の発信処理部２２、第２の発信者問合せ処理部２３、電話帳管理部２４、電話帳リスト抽出部２５、暗号復号部２６及び電話回線２７を備えている。
【００２７】
第２の電話帳情報部２１は、図３（ｃ）に示すように、通信端末１０のユーザが予め登録した通信相手の他端末１０ｂの電話番号情報又はアドレス情報、及び当該通信相手を識別する第１の識別情報を他の第１の識別情報と識別する第２の識別情報を対応付けて格納する。なお、第２の電話帳情報部２１は、通信事業者と利用契約を結んで加入した加入者毎に、第２の識別情報及び他端末１０ｂの電話番号情報又はアドレス情報を対応付けて、電話帳リストとして格納しており、各電話帳リストは暗号化されている。また、各電話帳リストは、各電話帳リストに対応する加入者の通信端末１０における、暗号鍵保管部２に格納される暗号鍵によって復号することができる。
【００２８】
特に、第２の電話帳情報部２１に格納される第２の識別情報と、通信端末１０の第１の電話帳情報部１に格納される第２の識別情報とが対応している。このため、第２の識別情報により対応付けられる、第２の電話帳情報部２１における他端末１０ｂの電話番号情報又はアドレス情報と、第１の電話帳情報部１における第１の識別情報（通信相手の氏名等）とは、従来の携帯電話に記憶される電話帳に相当するものとなる。
【００２９】
第２の発信処理部２２は、通信端末１０から送信される発信要求メールに基づき、第２の識別情報、暗号鍵及び当該通信端末１０の電話番号情報又はアドレス情報を、電話帳管理部２４に出力する。また、第２の発信処理部２２は、発信要求メールを受信した旨の電子メールを、当該発信要求メールを送信した通信端末１０に返信する。なお、この電子メール（以下、受付完了メールと称す）は、ＳＭＳ等を利用し、宛先を「発信要求メールを送信した通信端末１０」とする。
【００３０】
また、第２の発信処理部２２は、通信端末１０から送信される第２の識別情報及び当該通信端末１０の電話番号情報又はアドレス情報を、電話帳管理部２４を介して、電話帳リスト抽出部２５に出力する。また、第２の発信処理部２２は、電話帳リスト抽出部２５から入力される他端末１０ｂの電話番号情報又はアドレス情報に基づき、通信端末１０からの呼（音声発信又は電子メール）を通信相手の他端末１０ｂに転送する。
【００３１】
第２の発信者問合せ処理部２３は、通信端末１０から送信される、当該通信端末１０の電話番号情報又はアドレス情報、他端末１０ｂの電話番号情報又はアドレス情報及び暗号鍵を、電話帳管理部２４を介して、電話帳リスト抽出部２５に出力する。また、第２の発信者問合せ処理部２３は、電話帳リスト抽出部２５から入力される第２の識別情報を付加した電子メールを通信端末１０に送信する。なお、この電子メール（以下、問合せ回答メールと称す）は、ＳＭＳ等を利用し、宛先を「着信問合せメールを送信した通信端末１０」とし、第２の識別情報を付加したものである。
【００３２】
電話帳管理部２４は、第２の発信処理部２２から入力される、第２の識別情報、暗号鍵及び当該通信端末１０の電話番号情報又はアドレス情報を、一時的に記憶する。また、電話帳管理部２４は、通信端末１０から送信される音声発信又はパケットを受信すると、音声発信又はパケットに付加されている通信端末１０の電話番号情報又はアドレス情報と、一時的に記憶している通信端末１０の電話番号情報又はアドレス情報とを照合する。
【００３３】
電話帳リスト抽出部２５は、第２の発信処理部２２から入力される通信端末１０の電話番号情報又はアドレス情報に基づき、第２の電話帳情報部２１を検索し、該当する電話帳リストを抽出する。また、電話帳リスト抽出部２５は、抽出した電話帳リストを暗号復号部２６に出力する。また、電話帳リスト抽出部２５は、第２の発信処理部２２から入力される第２の識別情報に基づき、復号化された電話帳リストから第２の識別情報に対応する他端末１０ｂの電話番号情報又はアドレス情報を抽出する。また、電話帳リスト抽出部２５は、抽出した他端末１０ｂの電話番号情報又はアドレス情報を、電話帳管理部２４を介して、第２の発信処理部２２に出力する。
【００３４】
また、電話帳リスト抽出部２５は、第２の発信者問合せ処理部２３から入力される通信端末１０の電話番号情報又はアドレス情報に基づき、第２の電話帳情報部２１を検索し、該当する電話帳リストを抽出する。また、電話帳リスト抽出部２５は、抽出した電話帳リストを暗号復号部２６に出力する。また、電話帳リスト抽出部２５は、第２の発信者問合せ処理部２３から入力された他端末１０ｂの電話番号情報又はアドレス情報に基づき、復号化された電話帳リストから他端末１０ｂの電話番号情報又はアドレス情報に対応する第２の識別情報を抽出する。また、電話帳リスト抽出部２５は、抽出した第２の識別情報を、電話帳管理部２４を介して、第２の発信者問合せ処理部２３に出力する。
【００３５】
暗号復号部２６は、通信端末１０から送信される暗号鍵に基づき、第２の電話帳情報部２１に暗号化されて格納される電話帳リスト（他端末１０ｂの電話番号情報又はアドレス情報及び第２の識別情報）を復号化する。
電話回線２７は、交換機４０に接続する接続インターフェースである。
【００３６】
つぎに、本実施形態に係る通信システム１００における処理手順について、図４を用いて説明する。以下の説明においては、自端末１０ａから他端末１０ｂに電話を掛ける場合と、他端末１０ｂから自端末１０ａに電話がかかる場合とについて説明する。
なお、自端末１０ａから他端末１０ｂに電子メールを送信する場合と、他端末１０ｂから自端末１０ａに電子メールを受信する場合については、電話番号情報をアドレス情報に置き換えるだけで、電話の場合と同様の処理であるため、説明を省略する。
【００３７】  まず、自端末１０ａ（電話番号：09012345678）から他端末１０ｂ（氏名：（公序良俗違反につき、不掲載））に電話を掛ける場合について説明する。  ユーザは、自端末１０ａの選択部４を操作して、第１の電話帳情報部１に記憶された電話帳を開くと（ステップＳ１）、図３（ｂ）に示すような画面が表示部３に表示される。  そして、ユーザは、表示部３に表示された氏名（第１の識別情報）の中から、電話を掛けたい相手を、選択部４を操作して選択し（ステップＳ２）、発信ボタンを押下する（ステップＳ３）。ここでは、「（公序良俗違反につき、不掲載）」を選択した。
【００３８】  自端末１０ａの第１の発信処理部５は、選択部４により選択される氏名（第１の識別情報）に対応するリスト番号（第２の識別情報）を第１の電話帳情報部１から抽出し、暗号鍵保管部２から暗号鍵を抽出する。ここでは、氏名「（公序良俗違反につき、不掲載）」に対応するリスト番号「1」が抽出される。
【００３９】
また、第１の発信処理部５は、抽出したリスト番号（本実施形態における第２の識別情報）及び暗号鍵と自端末１０ａの電話番号情報とを、電子メール（ここでは、ＳＭＳ）内に編集し、発信要求メールとして、無線制御部８を介して、データ転送サーバ２０に送信する。なお、発信要求メールは、宛先を「データ転送サーバ２０（ここでは、09099999999）」とし、第２の識別情報（ここでは、1）、自端末１０ａの電話番号情報（ここでは、09012345678）及び暗号鍵が付加されている。
そして、データ転送サーバ２０は、無線ネットワーク３０及び交換機４０を介して、発信要求メールを受信すると、発信処理タスクを開始する（ステップＳ５）。
データ転送サーバ２０の第２の発信処理部２２は、電話回線２７を介して受信した発信要求メールに付加された、第２の識別情報（ここでは、1）、自端末１０ａの電話番号情報（ここでは、09012345678）及び暗号鍵を、電話帳管理部２４に送る。
【００４０】
電話帳管理部２４は、第２の発信処理部２２から受け取った、第２の識別情報（ここでは、1）、自端末１０ａの電話番号情報（ここでは、09012345678）及び暗号鍵を、一時的に記憶する（ステップＳ６，ステップＳ７）。
また、第２の発信処理部２２は、電話回線２７を介して、受付完了メール（ここでは、ＳＭＳ）を自端末１０ａに返信する（ステップＳ８）。なお、受付完了メールは、宛先を「自端末１０ａ（ここでは、09012345678）」とする。
そして、自端末１０ａの無線制御部８は、交換機４０及び無線ネットワーク３０を介して、受付完了メールを受信すると（ステップＳ９）、受付完了メールを第１の発信処理部５に出力する。
【００４１】
第１の発信処理部５は、受信した受付完了メールに対して、無線制御部８を介して、データ転送サーバ２０に音声発信又はパケット発信を行う（ステップＳ１０）。なお、音声発信又はパケット発信は、宛先を「データ転送サーバ２０（ここでは、09099999999）」とする。
そして、データ転送サーバ２０の電話回線２７は、無線ネットワーク３０及び交換機４０を介して、音声発信又はパケットを受信すると、第２の発信処理部２２を介して、音声発信又はパケットを電話帳管理部２４に出力する。
【００４２】
電話帳管理部２４は、入力された音声発信又はパケットに付加されている自端末１０ａの電話番号情報（ここでは、09012345678）と一時的に記憶している自端末１０ａの電話番号情報（ここでは、09012345678）とを照合し、一致を確認する（ステップＳ１１）。
そして、電話帳管理部２４は、記憶している自端末１０ａの電話番号情報（ここでは、09012345678）、第２の識別情報（ここでは、1）及び暗号鍵を、電話帳リスト抽出部２５に出力する。
【００４３】
電話帳リスト抽出部２５は、入力された自端末１０ａの電話番号情報（ここでは、09012345678）に基づき、第２の電話帳情報部２１を検索し（ステップＳ１２）、該当する電話帳リストを抽出して、暗号鍵と共に電話帳リストを暗号復号部２６に出力する。
暗号復号部２６は、暗号鍵に基づき、電話帳リストを復号化して（ステップＳ１３）、復号化した電話帳リストを電話帳リスト抽出部２５に出力する。
【００４４】
電話帳リスト抽出部２５は、電話帳管理部２４から入力された第２の識別情報（ここでは、1）に基づき、復号化された電話帳リストから第２の識別情報に対応する他端末１０ｂの電話番号情報（ここでは、09011111111）を抽出する（ステップＳ１４）。
そして、電話帳リスト抽出部２５は、抽出した他端末１０ｂの電話番号情報（ここでは、09011111111）を、電話帳管理部２４を介して、第２の発信処理部２２に出力する。
【００４５】  また、第２の発信処理部２２は、電話帳リスト抽出部２５から入力される他端末１０ｂの電話番号情報（ここでは、09011111111）に基づき、自端末１０ａからの呼を通信相手の他端末１０ｂに転送し（ステップＳ１５）、通常の発信接続となる。なお、この場合に、他端末１０ｂに着信される電話番号が、データ転送サーバ２０の電話番号情報（ここでは、09099999999）とならないように、付加番号ダイヤルインという機能により、他端末１０ｂに着信される電話番号を、自端末１０ａの電話番号情報（ここでは、09012345678）とする。  以上により、自端末１０ａ（電話番号：09012345678）から他端末１０ｂ（氏名：（公序良俗違反につき、不掲載））に電話（電話番号：09011111111）を掛けることができる。
【００４６】
つぎに、他端末１０ｂ（電話番号：09012345678）から自端末１０ａ（電話番号：09011111111）に電話が掛かる場合について説明する。
自端末１０ａの着信処理部６は、無線制御部８を介して、他端末１０ｂから着信があると、発信番号問合せタスクを開始する（ステップＳ１０１）。
着信処理部６は、第１の発信者問合せ処理部７に通知すると共に、発信者の他端末１０ｂの電話番号情報（ここでは、09012345678）を抽出する。
第１の発信者問合せ処理部７は、着信処理部６からの通知があると、暗号鍵保管部２から暗号鍵を抽出して、着信処理部６に出力する。
【００４７】
そして、着信処理部６は、抽出した他端末１０ｂの電話番号情報（ここでは、09012345678）、自端末１０ａの電話番号情報（ここでは、09011111111）、及び第１の発信者問合せ処理部７から入力される暗号鍵を、電子メール（ここでは、ＳＭＳ）内に編集する。また、着信処理部６は、着信問合せメールとして、無線制御部８を介して、データ転送サーバ２０に送信する（ステップＳ１０２）。なお、着信問合せメールは、宛先を「データ転送サーバ２０（ここでは、09099999999）」とし、他端末１０ｂの電話番号情報（ここでは、09012345678）、自端末１０ａの電話番号情報（ここでは、09011111111）及び暗号鍵が付加されている。
そして、データ転送サーバ２０は、無線ネットワーク３０及び交換機４０を介して、着信問合せメールを受信すると、発信番号調査タスクを開始する（ステップＳ１０３）。
【００４８】
第２の発信者問合せ処理部２３は、電話回線２７を介して受信した着信問合せメールに付加された、自端末１０ａの電話番号情報（ここでは、09011111111）、他端末１０ｂの電話番号情報（ここでは、09012345678）及び暗号鍵を、電話帳管理部２４を介して、電話帳リスト抽出部２５に出力する。
【００４９】
また、電話帳リスト抽出部２５は、第２の発信者問合せ処理部２３から入力される自端末１０ａの電話番号情報（ここでは、09011111111）に基づき、第２の電話帳情報部２１を検索し（ステップＳ１０４）、該当する電話帳リストを抽出する。
そして、電話帳リスト抽出部２５は、抽出した電話帳リストを暗号鍵と共に暗号復号部２６に出力する。
【００５０】
暗号復号部２６は、暗号鍵に基づき、電話帳リストを復号化して（ステップＳ１０５）、復号化した電話帳リストを電話帳リスト抽出部２５に出力する。
電話帳リスト抽出部２５は、第２の発信者問合せ処理部２３から入力される他端末１０ｂの電話番号情報（ここでは、09012345678）に基づき、復号化された電話帳リストを検索する（ステップＳ１０６）。
【００５１】
ステップＳ１０６において、電話帳リストに発信者の他端末１０ｂの電話番号情報が存在しない場合に、電話帳リスト抽出部２５は、電話帳リストに存在しない旨の通知を、電話帳管理部２４を介して、第２の発信者問合せ処理部２３に出力する。
【００５２】
第２の発信者問合せ処理部２３は、自端末１０ａに対して、データ転送サーバ２０の電話番号情報（ここでは、09099999999）を通知する。なお、第２の発信者問合せ処理部２３は、データ転送サーバ２０の電話番号情報を自端末１０ａに通知しているが、発信者の他端末１０ｂの電話番号情報を通知してもよい。
【００５３】
そして、自端末１０ａの無線制御部８は、交換機４０及び無線ネットワーク３０を介して、データ転送サーバ２０の電話番号情報（ここでは、09099999999）を受信すると、着信処理部６を介して、第１の発信者問合せ処理部７に出力する。
【００５４】
第１の発信者問合せ処理部７は、入力されたデータ転送サーバ２０の電話番号情報（ここでは、09099999999）を表示部３に出力する。
そして、図示しないスピーカーから着信音を鳴らして、自端末１０ａのユーザに報知し、表示部３がデータ転送サーバ２０の電話番号情報（ここでは、09099999999）を表示することで、ユーザは、電話帳に登録していない相手からの電話であることが認識できる。
【００５５】
また、ステップＳ１０６において、電話帳リストに発信者の他端末１０ｂの電話番号情報が存在する場合に、電話帳リスト抽出部２５は、電話帳リストから他端末１０ｂの電話番号情報（ここでは、09012345678）に対応する第２の識別情報（ここでは、6）を抽出する。
そして、電話帳リスト抽出部２５は、抽出した第２の識別情報（ここでは、6）を、電話帳管理部２４を介して、第２の発信者問合せ処理部２３に出力する。
【００５６】
第２の発信者問合せ処理部２３は、電話帳リスト抽出部２５から入力される第２の識別情報（ここでは、6）を、電子メール（ここでは、ＳＭＳ）内に編集し、問合せ回答メールとして、電話回線２７を介して、自端末１０ａに送信する（ステップＳ１０７）。なお、問合せ回答メールは、宛先を「自端末１０ａ（ここでは、09011111111）」とし、第２の識別情報（ここでは、6）が付加されている。
【００５７】
そして、自端末１０ａの無線制御部８は、交換機４０及び無線ネットワーク３０を介して、問合せ回答メールを受信すると（ステップＳ１０８）、着信処理部６を介して、問合せ回答メールを第１の発信者問合せ処理部７に出力する。
【００５８】
第１の発信者問合せ処理部７は、入力された第２の識別情報（ここでは、6）に基づき、第１の電話帳情報部１から当該第２の識別情報に対応する第１の識別情報を抽出し、当該第１の識別情報を表示部３に出力する。
そして、図示しないスピーカーから着信音を鳴らして、自端末１０ａのユーザに報知し、表示部３が第１の識別情報を表示することで、ユーザは発信者の氏名を確認することができる。
そして、ユーザは、自端末１０ａの選択部４を操作して、着信ボタンを押下することで（ステップＳ１０９）、発信者との通話を開始することとなる（ステップＳ１１０）。
【００５９】
以上のように、本実施形態に係る通信システム１００は、名前と電話番号又はメールアドレスとを対にした個人情報が、通信端末１０又はデータ転送サーバ２０に単独で存在しない。このため、通信端末１０の紛失又は盗難やサーバへのハッキングによる個人情報の漏洩を防止し、情報セキュリティを強化することができるという作用効果を奏する。
【００６０】
また、本実施形態に係る通信システム１００は、従来の通信システムで考慮されていない、電話又は電子メールの着信時に、発信者の氏名を通信端末１０に表示することを、現行の携帯電話と同様に、電話又は電子メールの着信時に、発信者の名前を通信端末１０に表示することができる。このため、発信者の氏名を表示しない電話に応答することで、知人を装った詐欺による被害を防止でき、着信時の安全な応答を確保することができるという作用効果を奏する。
【００６１】
特に、本実施形態に係る通信システム１００は、情報セキュリティに敏感である企業や官庁等に導入することが適しており、データ転送サーバ２０の第２の電話帳情報部２１に、従業者等が使用する共通の電話番号を登録しておき、電話帳リストを共有することも考えられる。
【００６２】
（本発明の第２の実施形態）
図５は第２の実施形態に係る通信システムの概要を示す概念図である。図６は図５に示す交換機の概略構成を示す機能ブロック図である。図７は図５に示す通信システムにおける処理手順を示すフローチャートである。図５〜図７において、図１〜図４と同じ符号は、同一又は相当部分を示し、その説明を省略する。
【００６３】
図５において、通信システム１００は、通信端末１０と交換機４０とを備え、通信端末１０と交換機４０との間には、無線ネットワーク３０が介在する。
図６において、交換機４０は、交換機本来の部位である発信受付部４８及び着信処理部４９の他に、第１の実施形態に係るデータ転送サーバ２０の機能を実装したものである。すなわち、交換機４０は、第２の電話帳情報部４１、第２の発信処理部４２、第２の発信者問合せ処理部４３、電話帳管理部４４、電話帳リスト抽出部４５及び暗号復号部４６、をさらに備えている。なお、交換機４０の各部位（発信受付部４８及び着信処理部４９を除く）については、第１の実施形態に係るデータ転送サーバ２０の同一名称の部位と同様の機能を有するために、詳細な説明を省略する。
【００６４】
つぎに、本実施形態に係る通信システム１００における処理手順について、図７を用いて説明する。以下の説明においては、自端末１０ａから他端末１０ｂに電話を掛ける場合と、他端末１０ｂから自端末１０ａに電話が掛かる場合とについて説明する。
なお、自端末１０ａから他端末１０ｂに電子メールを送信する場合と、他端末１０ｂから自端末１０ａに電子メールを受信する場合については、電話番号情報をアドレス情報に置き換えるだけで、電話の場合と同様の処理であるため、説明を省略する。
【００６５】  まず、自端末１０ａ（電話番号：09012345678）から他端末１０ｂ（氏名：（公序良俗違反につき、不掲載））に電話を掛ける場合について説明する。
【００６６】
ユーザは、自端末１０ａの選択部４を操作して、第１の電話帳情報部１に記憶された電話帳を開くと（ステップＳ２０１）、図３（ｂ）に示すような画面が表示部３に表示される。
【００６７】  そして、ユーザは、表示部３に表示された氏名（第１の識別情報：本実施形態では、氏名としたが、利用者が相手を認識できるものであれば、他人が認識できる名称でなくてもよく、通称、あだ名などでもよい。）の中から、電話を掛けたい相手を、選択部４を操作して選択し（ステップＳ２０２）、発信ボタンを押下する（ステップＳ２０３）。ここでは、「（公序良俗違反につき、不掲載）」を選択した。
【００６８】  自端末１０ａの第１の発信処理部５は、選択部４により選択される氏名（第１の識別情報）に対応するリスト番号（第２の識別情報）を第１の電話帳情報部１から抽出し、暗号鍵保管部２から暗号鍵を抽出する。ここでは、氏名「（公序良俗違反につき、不掲載）」に対応するリスト番号「1」が抽出される。
【００６９】
また、第１の発信処理部５は、抽出したリスト番号（第２の識別情報）及び暗号鍵と自端末１０ａの電話番号情報とを、電子メール（ここでは、ＳＭＳ）内に編集し、発信要求メールとして、無線制御部８を介して、交換機４０に送信する。なお、発信要求メールは、宛先を「交換機４０」とし、第２の識別情報（ここでは、1）、自端末１０ａの電話番号情報（ここでは、09012345678）及び暗号鍵が付加されている。
そして、交換機４０は、無線ネットワーク３０を介して、発信要求メールを受信すると、発信処理タスクを開始する（ステップＳ２０５）。
【００７０】
交換機４０の第２の発信処理部４２は、発信受付部４８を介して受信した発信要求メールに付加された、第２の識別情報（ここでは、1）、自端末１０ａの電話番号情報（ここでは、09012345678）及び暗号鍵を、電話帳管理部４４に出力する。
【００７１】
電話帳管理部４４は、第２の発信処理部４２から入力された、第２の識別情報（ここでは、1）、自端末１０ａの電話番号情報（ここでは、09012345678）及び暗号鍵を、一時的に記憶する（ステップＳ２０６，ステップＳ２０７）。
【００７２】
また、第２の発信処理部４２は、発信受付部４８を介して、受付完了メール（ここでは、ＳＭＳ）を自端末１０ａに返信する（ステップＳ２０８）。なお、受付完了メールは、宛先を「自端末１０ａ（ここでは、09012345678）」とする。
そして、自端末１０ａの無線制御部８は、無線ネットワーク３０を介して、受付完了メールを受信すると（ステップＳ２０９）、受付完了メールを第１の発信処理部５に出力する。
【００７３】
第１の発信処理部５は、受信した受付完了メールに対して、無線制御部８を介して、交換機４０に音声発信又はパケット発信を行う（ステップＳ２１０）。なお、音声発信又はパケット発信は、宛先を「交換機４０」とする。
【００７４】
そして、交換機４０の発信受付部４８は、無線ネットワーク３０を介して、音声発信又はパケットを受信すると、第２の発信処理部４２を介して、音声発信又はパケットを電話帳管理部４４に出力する。
【００７５】
電話帳管理部４４は、入力された音声発信又はパケットに付加されている自端末１０ａの電話番号情報（ここでは、09012345678）と一時的に記憶している自端末１０ａの電話番号情報（ここでは、09012345678）とを照合し、一致を確認する（ステップＳ２１１）。
そして、電話帳管理部４４は、記憶している自端末１０ａの電話番号情報（ここでは、09012345678）、第２の識別情報（ここでは、1）及び暗号鍵を、電話帳リスト抽出部４５に出力する。
【００７６】
電話帳リスト抽出部４５は、入力された自端末１０ａの電話番号情報（ここでは、09012345678）に基づき、第２の電話帳情報部４１を検索し（ステップＳ２１２）、該当する電話帳リストを抽出して、暗号鍵と共に電話帳リストを暗号復号部４６に出力する。
暗号復号部４６は、暗号鍵に基づき、電話帳リストを復号化して（ステップＳ２１３）、復号化した電話帳リストを電話帳リスト抽出部４５に出力する。
【００７７】
電話帳リスト抽出部４５は、電話帳管理部４４から入力された第２の識別情報（ここでは、1）に基づき、復号化された電話帳リストから第２の識別情報に対応する他端末１０ｂの電話番号情報（ここでは、09011111111）を抽出する（ステップＳ２１４）。
そして、電話帳リスト抽出部４５は、抽出した他端末１０ｂの電話番号情報（ここでは、09011111111）を、電話帳管理部４４を介して、第２の発信処理部４２に出力する。
また、第２の発信処理部４２は、電話帳リスト抽出部４５から入力される他端末１０ｂの電話番号情報（ここでは、09011111111）に基づき、通信相手の他端末１０ｂを呼び出し（ステップＳ２１５）、通常の発信接続となる。
以上により、自端末１０ａ（電話番号：09012345678）から他端末１０ｂ（氏名：富士通太郎）に電話（電話番号：09011111111）を掛けることができる。
【００７８】
つぎに、他端末１０ｂ（電話番号：09012345678）から自端末１０ａ（電話番号：09011111111）に電話が掛かる場合について説明する。
自端末１０ａの着信処理部６は、無線制御部８を介して、他端末１０ｂから着信があると、発信番号問合せタスクを開始する（ステップＳ３０１）。
【００７９】
着信処理部６は、第１の発信者問合せ処理部７に通知すると共に、発信者の他端末１０ｂの電話番号情報（ここでは、09012345678）を抽出する。
第１の発信者問合せ処理部７は、着信処理部６からの通知があると、暗号鍵保管部２から暗号鍵を抽出して、着信処理部６に出力する。
【００８０】
そして、着信処理部６は、抽出した他端末１０ｂの電話番号情報（ここでは、09012345678）、自端末１０ａの電話番号情報（ここでは、09011111111）、及び第１の発信者問合せ処理部７から入力される暗号鍵を、電子メール（ここでは、ＳＭＳ）内に編集する。また、着信処理部６は、着信問合せメールとして、無線制御部８を介して、交換機４０に送信する（ステップＳ３０２）。なお、着信問合せメールは、宛先を「交換機４０」とし、他端末１０ｂの電話番号情報（ここでは、09012345678）、自端末１０ａの電話番号情報（ここでは、09011111111）及び暗号鍵が付加されている。
そして、交換機４０は、無線ネットワーク３０を介して、着信問合せメールを受信すると、発信番号調査タスクを開始する（ステップＳ３０３）。
【００８１】
第２の発信者問合せ処理部４３は、着信処理部４９を介して受信した着信問合せメールに付加された、自端末１０ａの電話番号情報（ここでは、09011111111）、他端末１０ｂの電話番号情報（ここでは、09012345678）及び暗号鍵を、電話帳管理部４４を介して、電話帳リスト抽出部４５に出力する。
【００８２】
また、電話帳リスト抽出部４５は、第２の発信者問合せ処理部４３から入力される自端末１０ａの電話番号情報（ここでは、09011111111）に基づき、第２の電話帳情報部４１を検索し（ステップＳ３０４）、該当する電話帳リストを抽出する。
そして、電話帳リスト抽出部４５は、抽出した電話帳リストを暗号鍵と共に暗号復号部４６に出力する。
【００８３】
暗号復号部４６は、暗号鍵に基づき、電話帳リストを復号化して（ステップＳ３０５）、復号化した電話帳リストを電話帳リスト抽出部４５に出力する。
電話帳リスト抽出部４５は、第２の発信者問合せ処理部４３から入力される他端末１０ｂの電話番号情報（ここでは、09012345678）に基づき、復号化された電話帳リストを検索する（ステップＳ３０６）。
【００８４】
ステップＳ３０６において、電話帳リストに発信者の他端末１０ｂの電話番号情報が存在しない場合に、電話帳リスト抽出部４５は、電話帳リストに存在しない旨の通知を、電話帳管理部４４を介して、第２の発信者問合せ処理部４３に出力する。
【００８５】
第２の発信者問合せ処理部４３は、自端末１０ａに対して、発信者の他端末１０ｂの電話番号情報を通知する。
そして、自端末１０ａの無線制御部８は、無線ネットワーク３０を介して、発信者の他端末１０ｂの電話番号情報を受信すると、着信処理部６を介して、第１の発信者問合せ処理部７に出力する。
【００８６】
第１の発信者問合せ処理部７は、入力された発信者の他端末１０ｂの電話番号情報を表示部３に出力する。
そして、図示しないスピーカーから着信音を鳴らして、自端末１０ａのユーザに報知し、表示部３が発信者の他端末１０ｂの電話番号情報を表示することで、ユーザは、電話帳に登録していない相手からの電話であることが認識できる。
【００８７】
また、ステップＳ３０６において、電話帳リストに発信者の他端末１０ｂの電話番号情報が存在する場合に、電話帳リスト抽出部４５は、電話帳リストから他端末１０ｂの電話番号情報（ここでは、09012345678）に対応する第２の識別情報（ここでは、6）を抽出する。
そして、電話帳リスト抽出部４５は、抽出した第２の識別情報（ここでは、6）を、電話帳管理部４４を介して、第２の発信者問合せ処理部４３に出力する。
【００８８】
第２の発信者問合せ処理部４３は、電話帳リスト抽出部４５から入力される第２の識別情報（ここでは、6）を、電子メール（ここでは、ＳＭＳ）内に編集し、問合せ回答メールとして、着信処理部４９を介して、自端末１０ａに送信する（ステップＳ３０７）。なお、問合せ回答メールは、宛先を「自端末１０ａ（ここでは、09011111111）」とし、第２の識別情報（ここでは、6）が付加されている。
【００８９】
そして、自端末１０ａの無線制御部８は、無線ネットワーク３０を介して、問合せ回答メールを受信すると（ステップＳ３０８）、着信処理部６を介して、問合せ回答メールを第１の発信者問合せ処理部７に出力する。
【００９０】
第１の発信者問合せ処理部７は、入力された第２の識別情報（ここでは、6）に基づき、第１の電話帳情報部１から当該第２の識別情報に対応する第１の識別情報を抽出し、当該第１の識別情報を表示部３に出力する。
そして、図示しないスピーカーから着信音を鳴らして、自端末１０ａのユーザに報知し、表示部３が第１の識別情報を表示することで、ユーザは発信者の氏名を確認することができる。
【００９１】
そして、ユーザは、自端末１０ａの選択部４を操作して、着信ボタンを押下することで（ステップＳ３０９）、発信者との通話を開始することとなる（ステップＳ３１０）。
【００９２】
なお、この第２の実施形態に係る通信システム１００においては、データ転送サーバ２０の機能を交換機４０に実装し、データ転送サーバ２０を配置しないところのみが第１の実施形態と異なるところであり、第１の実施形態と同様の作用効果を奏する。
［付記］  以上の実施例を含む実施形態に関し、更に以下の付記を開示する。
（付記１）  電話番号又はメールアドレスが割り当てられている複数の通信端末と、当該複数の通信端末間の電話又は電子メールの通信データを転送するデータ転送サーバとが、ネットワークを介して通信可能な通信システムであって、前記複数の通信端末は、利用者が通信相手を識別可能な第１の識別情報及び通信相手の個人情報を含まない第２の識別情報を対応付けて格納する第１の電話帳情報部と、前記第１の電話帳情報部から前記第１の識別情報を抽出して表示する表示部と、前記表示部により表示される第１の識別情報を選択する選択部と、前記選択部により選択される第１の識別情報に対応する前記第２の識別情報、及び自分の通信端末の電話番号又はメールアドレスを示す情報を組み込み、宛先を前記データ転送サーバとして、電子メールを前記データ転送サーバに送信すると共に、前記データ転送サーバから電子メールを受信するとデータ転送サーバに音声発信又はパケット発信を行う第１の発信処理部と、をそれぞれ備え、前記データ転送サーバは、前記通信端末毎に、当該通信端末の電話番号又はメールアドレスと、前記通信端末に登録されている第２の識別情報及び通信先の通信端末に割り当てられている電話番号又はメールアドレスを示す情報を対応付けて格納する第２の電話帳情報部と、前記複数の通信端末の一の通信端末から他の通信端末に電話をかける又は電子メールを送信する場合に、前記一の通信端末から送信される第２の識別情報に基づき、前記第２の電話帳情報部から前記第２の識別情報に対応する前記他の通信端末の電話番号又はメールアドレスを示す情報を抽出する電話帳リスト抽出部と、前記通信端末から送信される電子メールに対して、当該電子メールを受信した旨の電子メールを、当該電子メールを送信した通信端末に返信すると共に、前記電話帳リスト抽出部により抽出される前記他の通信端末の電話番号又はメールアドレスを示す情報に基づき、前記一の通信端末からの音声発信又は電子メールを前記他の通信端末に送信する第２の発信処理部と、を備えていることを特徴とする通信システム。
【００９３】
（付記２）  電話番号又はメールアドレスが割り当てられている複数の通信端末と、前記通信端末毎に、当該通信端末の電話番号又はメールアドレスと、前記通信端末に登録されている第２の識別情報及び通信先の通信端末に割り当てられている電話番号又はメールアドレスを示す情報を対応付けて格納している第２の電話帳情報部と、前記複数の通信端末の一の通信端末から他の通信端末に電話をかける又は電子メールを送信する場合に、前記一の通信端末から送信される第２の識別情報に基づき、前記第２の電話帳情報部から前記第２の識別情報に対応する前記他の通信端末の電話番号又はメールアドレスを示す情報を抽出する電話帳リスト抽出部と、前記通信端末から送信される電子メールに対して、当該電子メールを受信した旨の電子メールを、当該電子メールを送信した通信端末に返信すると共に、前記電話帳リスト抽出部により抽出される前記他の通信端末の電話番号又はメールアドレスを示す情報に基づき、前記一の通信端末からの音声発信又は電子メールを前記他の通信端末に送信する第２の発信処理部とを備えるデータ転送サーバとが、ネットワークを介して通信可能な通信システムで用いられる通信端末であって、利用者が通信相手を識別可能な第１の識別情報及び通信相手の個人情報を含まない第２の識別情報を対応付けて格納する第１の電話帳情報部と、前記第１の電話帳情報部から前記第１の識別情報を抽出して表示する表示部と、前記表示部により表示される第１の識別情報を選択する選択部と、前記選択部により選択される第１の識別情報に対応する前記第２の識別情報、及び自分の通信端末の電話番号又はメールアドレスを示す情報を電子メール内に組み込み、宛先を前記データ転送サーバとして、電子メールを前記データ転送サーバに送信すると共に、前記データ転送サーバから電子メールを受信するとデータ転送サーバに音声発信又はパケット発信を行う第１の発信処理部と、電話又は電子メールを着信した場合に、前記通信端末毎に、前記電話又は電子メールの発信者の通信端末である他の通信端末に割り当てられている電話番号又はメールアドレスを示す情報を、着信した電話又は電子メールから抽出し、当該他の通信端末の電話番号又はメールアドレスを示す情報、及び自分の通信端末の電話番号又はメールアドレスを示す情報を電子メール内に組み込み、宛先を前記データ転送サーバとして、当該電子メールを前記データ転送サーバに送信する着信処理部と、前記データ転送サーバから送信される第２の識別情報に基づき、前記第１の電話帳情報部から第１の識別情報を抽出し、当該第１の識別情報を前記表示部に出力する第１の発信者問合せ処理部と、を備えていることを特徴とする通信端末。
【００９４】
（付記３）  前記通信端末は、更に、前記データ転送サーバの第２の電話帳情報部に暗号化されて格納される前記他の通信端末の電話番号又はメールアドレスを示す情報及び第２の識別情報を復号化するための暗号鍵を格納する暗号鍵保管部を備え、前記第１の発信者問合せ処理部が、前記暗号鍵保管部から暗号鍵を抽出して、前記第１の発信処理部に出力し、前記第１の発信処理部が、前記選択部により選択される第１の識別情報に対応する前記第２の識別情報、自分の通信端末の電話番号又はメールアドレスを示す情報、及び暗号鍵を電子メールに付加し、当該電子メールを前記データ転送サーバに送信することを特徴とする付記２に記載の通信端末。
【００９５】
（付記４）  電話番号又はメールアドレスが割り当てられている通信端末からの電話又は電子メールを通信相手の通信端末である他の通信端末に転送するデータ転送サーバと、利用者が通信相手を識別可能な第１の識別情報及び通信相手の個人情報を含まない第２の識別情報を対応付けて格納する第１の電話帳情報部と、前記第１の電話帳情報部から前記第１の識別情報を抽出して表示する表示部と、前記表示部により表示される第１の識別情報を選択する選択部と、前記選択部により選択される第１の識別情報に対応する前記第２の識別情報、及び自分の通信端末の電話番号又はメールアドレスを示す情報を電子メール内に組み込み、宛先を前記データ転送サーバとして、電子メールを前記データ転送サーバに送信すると共に、前記データ転送サーバから電子メールを受信するとデータ転送サーバに音声発信又はパケット発信を行う第１の発信処理部と、電話又は電子メールを着信した場合に、前記通信端末毎に、前記電話又は電子メールの発信者の通信端末である他の通信端末に割り当てられている電話番号又はメールアドレスを示す情報を、着信した電話又は電子メールから抽出し、当該他の通信端末の電話番号又はメールアドレスを示す情報、及び自分の通信端末の電話番号又はメールアドレスを示す情報を電子メール内に組み込み、宛先を前記データ転送サーバとして、当該電子メールを前記データ転送サーバに送信する着信処理部と、前記データ転送サーバから送信される第２の識別情報に基づき、前記第１の電話帳情報部から第１の識別情報を抽出し、当該第１の識別情報を前記表示部に出力する第１の発信者問合せ処理部と、を備える通信端末とが、ネットワークを介して通信可能な通信システムで用いられるデータ転送サーバであって、前記通信端末毎に、当該通信端末の電話番号又はメールアドレスと、前記通信端末に登録されている第２の識別情報と通信先の通信端末に割り当てられている電話番号又はメールアドレスを示す情報を対応付けて格納する第２の電話帳情報部と、前記複数の通信端末の一の通信端末から他の通信端末に電話をかける又は電子メールを送信する場合に、前記通信端末から送信される第２の識別情報に基づき、前記第２の電話帳情報部から前記第２の識別情報に対応する前記他の通信端末の電話番号又はメールアドレスを示す情報を抽出する電話帳リスト抽出部と、前記通信端末から送信される電子メールに対して、当該電子メールを受信した旨の電子メールを、当該電子メールを送信した通信端末に返信すると共に、前記電話帳リスト抽出部により抽出される前記他の通信端末の電話番号又はメールアドレスを示す情報に基づき、前記通一の信端末からの音声発信又は電子メールを前記他の通信端末に送信する第２の発信処理部と、前記通信端末から送信される、前記他の通信端末の電話番号又はメールアドレスを示す情報及び前記自分の通信端末の電話番号又はメールアドレスを示す情報に基づき、前記第２の電話帳情報部から当該他の通信端末の電話番号又はメールアドレスを示す情報に対応する第２の識別情報を抽出し、当該第２の識別情報を付加した電子メールを前記通信端末に送信する第２の発信者問合せ部と、を備えていることを特徴とするデータ転送サーバ。
【００９６】
（付記５）  前記データ転送サーバは、前記通信端末から送信される暗号鍵に基づき、前記第２の電話帳情報部に暗号化されて格納される前記他の通信端末の電話番号又はメールアドレスを示す情報及び第２の識別情報を復号化する暗号復号部を備えていることを特徴とすることを特徴とする付記４に記載のデータ転送サーバ。
【００９７】
（付記６）  通信端末毎に、当該通信端末の電話番号又はメールアドレスと、前記通信端末に登録されている第２の識別情報及び通信先の通信端末に割り当てられている電話番号又はメールアドレスを示す情報を対応付けて格納するデータ転送サーバと通信可能な通信端末のコンピュータを機能させる制御プログラムであって、コンピュータを、利用者が通信相手を識別可能な第１の識別情報及び通信相手の個人情報を含まない第２の識別情報を対応付けて格納する第１の電話帳情報手段と、前記第１の電話帳情報手段から前記第１の識別情報を抽出して表示する表示手段と、前記表示手段により表示される第１の識別情報を選択する選択手段と、前記選択手段により選択される第１の識別情報に対応する前記第２の識別情報、及び自分の通信端末の電話番号又はメールアドレスを示す情報を電子メール内に組み込み、宛先を前記データ転送サーバとして、電子メールを前記データ転送サーバに送信すると共に、前記データ転送サーバから電子メールを受信するとデータ転送サーバに音声発信又はパケット発信を行う第１の発信処理手段と、電話又は電子メールを着信した場合に、前記通信端末毎に、前記電話又は電子メールの発信者の通信端末である他の通信端末に割り当てられている電話番号又はメールアドレスを示す情報を、着信した電話又は電子メールから抽出し、当該他の通信端末の電話番号又はメールアドレスを示す情報、及び自分の通信端末の電話番号又はメールアドレスを示す情報を電子メール内に組み込み、宛先を前記データ転送サーバとして、当該電子メールを前記データ転送サーバに送信する着信処理手段と、前記データ転送サーバから送信される第２の識別情報に基づき、前記第１の電話帳情報手段から第１の識別情報を抽出し、当該第１の識別情報を前記表示手段に出力する第１の発信者問合せ処理手段として機能させる制御プログラム。
【符号の説明】
【００９８】
１      第１の電話帳情報部
２      暗号鍵保管部
３      表示部
４      選択部
５      第１の発信処理部
６      着信処理部
７      第１の発信者問合せ処理部
８      無線制御部
１０    通信端末
１０ａ  自端末
１０ｂ  他端末
２０    データ転送サーバ
２１    第２の電話帳情報部
２２    第２の発信処理部
２３    第２の発信者問合せ処理部
２４    電話帳管理部
２５    電話帳リスト抽出部
２６    暗号復号部
２７    電話回線
３０    無線ネットワーク
４０    交換機
４１    第２の電話帳情報部
４２    第２の発信処理部
４３    第２の発信者問合せ処理部
４４    電話帳管理部
４５    電話帳リスト抽出部
４６    暗号復号部
４８    発信受付部
４９    着信処理部
１００  通信システム
【図１】
2010246054.tif 000003
【図２】
2010246054.tif 000004
【図３】
2010246054.tif 000005
【図４】
2010246054.tif 000006
【図５】
2010246054.tif 000007
【図６】
2010246054.tif 000008
【図７】
2010246054.tif 000009